(57)【要約】【課題】  プッシュロックスイッチにおいて、ロック機構を小型化することなく、操作ノブの操作ストロークを小さくする。【解決手段】  一端部３０ａが軸３１により枢支された遠隔アーム３０の他端部３０ｂ側にロック機構３５を設けると共に、その遠隔アーム３０の長手方向の中間部に操作ノブ２４を軸３４を介して連結し、操作ノブ２４の操作に伴い遠隔アーム３０が揺動される構成とする。操作ノブ２４の操作ストロークは、ロック機構３５におけるロックピン３８の移動ストロークよりも小さくなる。【選択図】  図１
2006202521.tif 000002
【特許請求の範囲】
【請求項１】
一端部が枢支されて揺動可能に設けられた遠隔アームと、
この遠隔アームの長手方向の中間部に連結されると共に、前記遠隔アームの長手方向と交差する方向に往復移動可能に設けられ、付勢手段により原位置方向へ付勢された操作ノブと、
ロック用係合部とこのロック用係合部に対して係脱可能に係合するロックピンを有して前記遠隔アームの他端部側に設けられ、前記操作ノブが前記原位置から押し込み操作された後、その押し込み操作が解除されることに伴い前記ロックピンが前記ロック用係合部に係合することにより前記遠隔アームを介して前記操作ノブをロック位置に保持し、前記操作ノブが前記ロック位置から再度押し込み操作されることに伴い前記ロックピンと前記ロック用係合部の係合が解除され、この後、その押し込み操作が解除されることに伴い前記遠隔アームと共に前記操作ノブが原位置へ復帰されることを許容するロック機構と、
前記操作ノブが前記原位置に位置された状態と前記ロック位置に位置された状態とでスイッチ状態が切り替えられるスイッチ要素と、
を具備したことを特徴とするプッシュロックスイッチ。
【発明の詳細な説明】
【技術分野】
【０００１】
本発明は、操作ノブを原位置から一旦押し込み操作することでロック位置に保持し、再度押し込み操作することで操作ノブがロック位置から原位置に復帰する構成のロック機構を備えたプッシュロックスイッチに関する。
【背景技術】
【０００２】
この種のプッシュロックスイッチの従来構成の一例を図６〜図８を参照して説明する。まず、図６において、スイッチケース１は、ケース本体２とインシュレータ３とを組み合わせて構成されている。このスイッチケース１には、操作ノブ４が、図中上下方向に往復移動可能に挿入されていて、この操作ノブ４は、圧縮コイルばね５の付勢力により原位置方向である上方に付勢されている。操作ノブ４の側部とスイッチケース１との間には、スライド式のスイッチ要素６が設けられている。このスイッチ要素６は、インシュレータ３に設けられた一対の固定接点７（図６（ａ）に１個のみ示す）と、操作ノブ４に設けられた可動接点８とから構成されていて、可動接点８は、圧縮コイルばね８ａにより固定接点７側に付勢されている。
【０００３】
そして、操作ノブ４において上記スイッチ要素６とは反対側に位置させて、ロック機構９が設けられている。このロック機構９は、操作ノブ４の側面に設けられたカム溝１０と、このカム溝１０を相対的に移動するロックピン１１ａを有するロック部材１１とを備えている。カム溝１０には、中央部にロック用係合部１０ａを有するハート形のカム凸部１０ｂが設けられている。この場合、ロック部材１１は、スイッチケース１に、図６（ｂ）において左右方向にスライド可能に支持されている。
【０００４】
上記構成において、図６は、操作ノブ４が上方の原位置に位置された状態が示されている。この状態では、ロック機構９におけるロックピン１１ａと、ロック用係合部１０ａとの係合が外れている。また、スイッチ要素６としては、可動接点８が固定接点７に接触していて、オン状態を呈している。
【０００５】
この状態から、操作ノブ４が図６で下方（矢印Ａ１方向）へ押し込み操作されると、操作ノブ４の矢印Ａ１方向への移動に伴い、ロックピン１１ａが、カム凸部１０ｂの周りのカム溝１０を相対的に摺動する（（ａ）の矢印Ｂ１参照）。図７には、操作ノブ４のフルストローク時（操作ノブ４を最も奥まで押し込んだ時）の状態が示されている。この状態では、ロックピン１１ａは、カム凸部１０ｂの上方に位置されている。そして、操作ノブ４に対する操作力が解除されると、操作ノブ４が圧縮コイルばね５の付勢力で上方（矢印Ａ１とは反対方向）へ戻されると共に、ロックピン１１ａがロック用係合部１０ａに係合するようになり（図７の矢印Ｂ２参照）、これにより操作ノブ４が図８に示すロック位置に保持されるようになる。このとき、可動接点８は固定接点７から下方へ離間していて、スイッチ要素６としてはオフ状態となる。
【０００６】
図８のロック状態から、操作ノブ４が再度押し込み操作されると、操作ノブ４の矢印Ａ１方向への移動に伴い、ロックピン１１ａとロック用係合部１０ａとの係合が外れる（図８の矢印Ｂ３参照）。そして、操作ノブ４に対する操作力が解除されると、操作ノブ４が圧縮コイルばね５の付勢力で上方へ戻されると共に、ロックピン１１ａがカム溝１０を相対的に摺動して元の位置に戻る（図８の矢印Ｂ４参照）。これにより操作ノブ４が、図６に示す原位置に戻されるようになる。このとき、可動接点８は固定接点７に接触していて、スイッチ要素６としてはオン状態となる。
【０００７】
なお、プッシュロックスイッチとしては、上記構成とはロック機構の構成が若干異なるが、特許文献１に示す構成のものも知られている。
【特許文献１】特開２０００−１８２４７１
【発明の開示】
【発明が解決しようとする課題】
【０００８】
上記した従来構成のものでは、次のような問題点がある。すなわち、操作ノブ４の操作ストロークとしては、ロック機構９におけるロックピン１１ａがカム溝１０に対して相対的に移動する分のストローク（矢印Ａ１方向及びこれとは反対方向のストローク）と同じ分だけ必要となる。このため、操作ノブ４の操作ストロークを小さくするには、ロック機構９のサイズを小型化する必要があるが、ロック機構９を小型化するには限界がある。
【０００９】
本発明は、上記問題点を解決するためになされたもので、ロック機構を小型化することなく、操作ノブの操作ストロークを小さくすることができるプッシュロックスイッチを提供することを目的とする。
【課題を解決するための手段】
【００１０】
上記した目的を達成するために、本発明のプッシュロックスイッチは、一端部が枢支されて揺動可能に設けられた遠隔アームと、この遠隔アームの長手方向の中間部に連結されると共に、前記遠隔アームの長手方向と交差する方向に往復移動可能に設けられ、付勢手段により原位置方向へ付勢された操作ノブと、ロック用係合部とこのロック用係合部に対して係脱可能に係合するロックピンを有して前記遠隔アームの他端部側に設けられ、前記操作ノブが前記原位置から押し込み操作された後、その押し込み操作が解除されることに伴い前記ロックピンが前記ロック用係合部に係合することにより前記遠隔アームを介して前記操作ノブをロック位置に保持し、前記操作ノブが前記ロック位置から再度押し込み操作されることに伴い前記ロックピンと前記ロック用係合部の係合が解除され、この後、その押し込み操作が解除されることに伴い前記遠隔アームと共に前記操作ノブが原位置へ復帰されることを許容するロック機構と、前記操作ノブが前記原位置に位置された状態と前記ロック位置に位置された状態とでスイッチ状態が切り替えられるスイッチ要素と、を具備したことを特徴とする。
【発明の効果】
【００１１】
本発明によれば、一端部が枢支された遠隔アームの他端部側にロック機構を設けると共に、その遠隔アームの長手方向の中間部に操作ノブを連結しているので、操作ノブの操作ストロークは、ロック機構におけるロックピンの移動ストロークよりも小さくなる。従って、ロック機構のサイズを同じとした場合、操作ノブの操作ストロークを小さくすることができ、よって、ロック機構を小型化することなく、操作ノブの操作ストロークを小さくすることができる。
【発明を実施するための最良の形態】
【００１２】
以下、本発明の一実施例について、図１ないし図５を参照して説明する。
まず、図１及び図２において、スイッチケース２１は、ケース本体２２とインシュレータ２３とを組み合わせて矩形箱状に構成されている。このスイッチケース２１には、操作ノブ２４が、図中上下方向に往復移動可能に挿入されていて、この操作ノブ２４は、当該操作ノブ２４とスイッチケース２１内の底部（インシュレータ２３）との間に配設された圧縮コイルばね２５の付勢力により原位置方向である上方に付勢されている。圧縮コイルばね２５は、操作ノブ２４を原位置方向へ付勢する付勢手段を構成している。操作ノブ２４は、上部がケース本体２２の開口部２２ａから上方へ突出していると共に、段部２４ａにより上方への抜止めがなされている。
【００１３】
操作ノブ２４の側部（図２の左側部）とスイッチケース２１側部のインシュレータ２３との間には、スライド式のスイッチ要素２６が設けられている。このスイッチ要素２６は、インシュレータ２３に設けられた一対の固定接点２７（図２に１個のみ示す）と、操作ノブ２４に設けられた可動接点２８とから構成されていて、可動接点２８は、圧縮コイルばね２９により固定接点２７側に付勢されている。
【００１４】
スイッチケース２１において、上記スイッチ要素２６とは反対側の側部（図２において右側の側部）には、横方向（図１で左右方向）に延びる遠隔アーム３０が当該スイッチケース２１を貫通する状態で設けられている。この遠隔アーム３０は、一端部３０ａが軸３１により、スイッチケース２１周囲の静止部位に回動可能に枢支されており、従って、軸３１を支点にして揺動可能に設けられている。スイッチケース２１には、その遠隔アーム３０の揺動を許容する開口部３２，３３が形成されている。スイッチケース２１内において、遠隔アーム３０の長手方向の中間部が、軸３４を介して上記操作ノブ２４に回動可能に連結されている。
【００１５】
遠隔アーム３０の他端部３０ｂはスイッチケース２１から側方へ突出していて、その他端部３０ｂ側にロック機構３５が設けられている。このロック機構３５は、ロック用のカム溝３６を有する矩形状のカム板３７と、遠隔アーム３０の他端部３０ｂに設けられたロックピン３８とを備えている。カム溝３６には、中央部にロック用係合部３９を有するハート形のカム凸部４０が設けられている。カム板３７は、スイッチケース２１周囲の静止部位に設けられた左右方向に延びるガイド部４１に沿って左右方向にスライド可能に設けられている。ロックピン３８は、カム溝３６に相対的に移動可能に挿入されている（図３参照）。
【００１６】
次に上記構成の作用を説明する。
図１〜図３は、操作ノブ２が上方の原位置に位置された状態が示されている。この状態では、ロック機構３５におけるロックピン３８とロック用係合部３９との係合が外れていて、遠隔アーム３０としてはほぼ水平状態となっている。また、スイッチ要素２６としては、可動接点２８が固定接点２７に接触していて、オン状態を呈している。
【００１７】
この状態から、操作ノブ２４が下方（矢印Ｃ１方向）へ押し込み操作されると、操作ノブ４の矢印Ｃ１方向への移動に伴い、軸３４を介して遠隔アーム３０が下方（矢印Ｃ１方向）へ押される。すると、遠隔アーム３０は、一端部３０ａの軸３１を中心にして他端部３０ｂが図１の矢印Ｄ１方向へ回動されるようになる。すると、他端部３０ｂのロックピン３８が、カム板３７におけるカム凸部４０の周りのカム溝３６を相対的に摺動する（図１の矢印Ｅ１参照）。このとき、カム板３７がガイド部４１に沿って左右方向へスライドする。図４には、操作ノブ２４のフルストローク時（操作ノブ２４を最も奥まで押し込んだ時）の状態が示されている。この状態では、ロックピン３８は、カム凸部４０の下方に位置されている。
【００１８】
そして、操作ノブ２４に対する操作力が解除されると、操作ノブ２４が圧縮コイルばね２５の付勢力で上方（矢印Ｃ１とは反対の矢印Ｃ２方向）へ戻されると共に、遠隔アーム３０の他端部３０ｂも上方（矢印Ｄ１とは反対の矢印Ｄ２方向）へ戻されるように回動される。すると、ロックピン３８がロック用係合部３９に係合するようになり（図４の矢印Ｅ２参照）、これにより遠隔アーム３０を介して操作ノブ２４が図５に示すロック位置に保持されるようになる。このとき、可動接点２８は固定接点２７から下方へ離間していて、スイッチ要素２６としてはオフ状態となる。
【００１９】
図５のロック状態から、操作ノブ２４が再度押し込み操作されると、操作ノブ２４の矢印Ｃ１方向への移動に伴い、遠隔アーム３０の他端部３０ｂが矢印Ｄ１方向へ回動し、ロックピン３８とロック用係合部３９との係合が外れる（図５の矢印Ｅ３参照）。そして、操作ノブ２４に対する操作力が解除されると、操作ノブ２４が圧縮コイルばね２５の付勢力で上方（矢印Ｃ２方向）へ戻されると共に、遠隔アーム３０の他端部３０ｂが矢印Ｄ２方向へ回動し、ロックピン３８がカム溝３６を相対的に摺動して元の位置に戻る（図５の矢印Ｅ４参照）。これにより操作ノブ２４が、図１に示す原位置に戻されると共に、遠隔アーム３０が元の水平状態に戻されるようになる。このとき、可動接点２８は固定接点２７に接触していて、スイッチ要素２６としてはオン状態となる。
【００２０】
上記した実施例においては、一端部３０ａが軸３１により枢支された遠隔アーム３０の他端部３０ｂ側にロック機構３５を設けると共に、その遠隔アーム３０の長手方向の中間部に操作ノブ２４を軸３４を介して連結しているので、操作ノブ２４の操作ストロークは、ロック機構３５におけるロックピン３８の移動ストロークよりも小さくなる。
【００２１】
このことを具体的に説明する。図４において、遠隔アーム３０の一端部である軸３１の中心から、遠隔アーム３０と操作ノブ２４との連結部となる軸３４の中心までの距離をＬ１、遠隔アーム３０の一端部である軸３１の中心から、他端部３０ｂのロックピン３８までの距離をＬ２とし、また、ロックピン３８の上下方向の最大ストロークをＳ２、このときの軸３４の上下方向のストロークをＳ１とした場合、（１）式の関係が成立する。
【００２２】
Ｓ２：Ｓ１＝Ｌ２：Ｌ１  …（１）
これを変形すると、
Ｓ１＝（Ｌ１／Ｌ２）Ｓ２  …（２）
と表すことができる。ここで、例えばロック機構３５のサイズを従来と同じとした場合（ロックピン３８の最大ストロークＳ２を同じとした場合）、操作ノブ２４の操作ストローク（Ｓ１）を、ロックピン３８の最大ストロークＳ２の（Ｌ１／Ｌ２）倍、小さくすることができる。よって、ロック機構３５を小型化することなく、操作ノブ２４の操作ストロークＳ１を小さくすることができる。
【００２３】
本発明は、上記した実施例にのみ限定されるものではなく、要旨を逸脱しない範囲内で適宜変形して実施することができる。
【図面の簡単な説明】
【００２４】
【図１】本発明の一実施例を示すもので、操作ノブが原位置に位置された状態での破断正面図
【図２】図１のＸ１−Ｘ１線に沿う縦断側面図
【図３】図１のＸ２−Ｘ２線に沿う縦断側面図
【図４】操作ノブをフルストローク押し込んだ状態での破断正面図
【図５】操作ノブがロック位置に保持された状態での破断正面図
【図６】従来例を示すもので、（ａ）は図１相当図、（ｂ）は（ａ）のＹ１−Ｙ１線に沿う縦断側面図
【図７】図４相当図
【図８】図５相当図
【符号の説明】
【００２５】
図面中、２１はスイッチケース、２４は操作ノブ、２５は圧縮コイルばね（付勢手段）、２６はスイッチ要素、２７は固定接点、２８は可動接点、３０は遠隔アーム、３０ａは一端部、３０ｂは他端部、３１は軸、３４は軸、３５はロック機構、３６はカム溝、３７はカム板、３８はロックピン、３９はロック用係合部、４０はカム凸部、４１はガイド部を示す。
【図１】
2006202521.tif 000003
【図２】
2006202521.tif 000004
【図３】
2006202521.tif 000005
【図４】
2006202521.tif 000006
【図５】
2006202521.tif 000007
【図６】
2006202521.tif 000008
【図７】
2006202521.tif 000009
【図８】
2006202521.tif 000010